(57)【要約】【課題】消費者が洋服などの複数の商品を自由に組み合わせて試着し、おしゃれのコーディネーションや着こなしを自ら創造したうえでそれを広く世間に公開し、その商品の魅力の新たな発見や利用法を広く知らしめる場や手段がなかったが当システムでは、インターネットのウェブサイト構築技術とデータベースの利用技術によって、この課題を解決する場を広く一般に公開されたウェブサイトとして提供する。【解決手段】洋服などの商品情報をデータベース上に蓄積し、利用者がインターネットに接続された通信端末上で商品を選択し、その組み合わせや重ね着の上下関係を自由に選択でき画面上に表示する手段を有する。その着こなしパターンの情報をデータベースに登録したうえで他の利用者もそれらの情報検索閲覧する手段を有する。利用者が他の人の着こなしパターンを評価することができ、その評価の高い順に自動的に順位づけして一覧表示する手段を有する。【選択図】図１
2011159269.tif 000002
【特許請求の範囲】
【請求項１】
通信端末とインターネット回線網を介して通信可能に接続された試着投稿システムサーバとにより、消費者に販売するためのアパレル商品及び靴商品及びアクセサリ商品に関する商品情報（画像情報も含む）を表示し提供することができるインターネットを利用した情報提供システムであって、前記通信端末は、消費者が複数の商品を自由に選択し、それらの商品の組み合わせを着こなしパターンとして画面に表示したうえで試着投稿情報としてインターネットを介して試着投稿システムサーバに送信する手段と、他の消費者の試着投稿情報を試着投稿システムサーバから受信して一覧表示し、さらにそれらを消費者に評価させる手段及びその評価情報を試着投稿システムサーバに送信する手段を有し、試着投稿システムサーバは、商品情報と試着投稿情報と評価情報をデータベース上で管理し、通信端末から要求のあった商品情報と試着投稿情報と評価情報を送信する手段を有することを特徴とする情報提供システム。
【発明の詳細な説明】
【技術分野】
【０００１】  本発明は、アパレル産業・洋服販売・靴販売・アクセサリー販売におけるネットショッピングのビジネスモデルの実現手段に関する。
【背景技術】
【０００２】  従来の洋服・靴・アクセサリーのネットショッピングにおいては、消費者がウェブサイト上で自由に商品を選択して購入するものがある。また、洋服などの商品の組み合わせを画面上で選択してそれらの商品を擬似的に試着した画像データを表示し、その組み合わせの着こなしイメージを画面上で確認できるものもある。
【発明の概要】
【発明が解決しようとする課題】
【０００３】  以上に述べたアパレル産業・洋服販売業・靴販売業・アクセサリー販売業におけるネットショッピングの従来のウェブサイトでは、消費者が洋服などのおしゃれのコーディネーションや着こなしを自ら工夫し創造して画面上に表示させてもそれを広く一般に公開し、その商品の魅力の新たな発見や利用法を広く知らしめる場や手段がなかった。またそれらの消費者による発見や利用法を商品の販売促進に結びつける場や手段がなかった。【０００４】  本発明は、インターネットのウェブサイト構築技術とデータベースの利用技術によって、この課題を解決する手段を提供する。
【課題を解決するための手段】
【０００５】  各製造業者の商品の商品情報（画像情報も含む）をデータベース上に蓄積し、インターネットに接続された通信端末上でそれらの情報を表示し消費者がそれらを選択し、商品の組み合わせや着こなしや重ね着の上下関係を自由に選択して画面上に表示する手段を有する。【０００６】  さらに消費者の着こなしパターンの情報を試着投稿情報としてデータベースに蓄積したうえで、他の消費者がその着こなしパターンを検索閲覧及び評価できる手段を有する。【０００７】  さらに、その評価に基づいてそれらの着こなしパターンを自動的に順位づけして一覧表示する手段を有する。【０００８】  さらに、画面に表示されたそれらの商品を即時にウェブサイト上でインターネットを経由して購入できる手段を有する。
【発明の効果】
【０００９】  消費者のおしゃれや着こなしについての創造意欲を刺激し、消費者の創造によるさまざまな着こなしパターンを蓄積して一般公開する場を提供することによって、商品の魅力と利用法の新たな発掘に資する。【００１０】  また、当システム上で、消費者自身が工夫した着こなしだけではなく、他の消費者が登録した着こなしパターンを参照したうえで各商品を購入できる手段を提供することによって商品の販売促進に資する。
【図面の簡単な説明】
【００１１】
【図１】本発明の実施形態を示す概念図
【図２】通信端末上の商品選択画面
【図３】通信端末上の投稿情報検索画面
【発明を実施するための形態】
【００１２】    以下、本発明の実施の形態を図１から図３に基づいて説明する。
【００１３】    （図１の１）に示すように消費者は、当システムを利用するために自宅などでインターネット回線網（図１の４））に接続された通信端末（図１の３）を使用する。
【００１４】    インターネット回線網に接続された試着投稿システム管理センター（図１の２）に設置された試着投稿システムサーバ（図１の５）は、商品情報データベース（図１の６）と投稿情報データベース（図１の７）を管理し、さらに通信端末のブラウザに表示されるウェブサイト画面情報を生成し送信する手段を有する。
【００１５】  通信端末上のブラウザはインターネット回線網を経由して商品情報を試着投稿システムサーバーから受信して、それを画面に表示する。
【００１６】  消費者は通信端末上のブラウザに表示された当ウェブサイトの各機能を使って商品を選択することによって着こなしの組み合わせを画面上に表現する。図２がその商品選択画面の表示イメージである。
【００１７】  （図２の３）で示す商品情報の中の画像アイコンをマウスでドラッグしてドロップエリア（図２の４）にドロップすることにより、着こなしパターン表示エリア（図２の２）に試着表示させる。この際、ドロップエリアに表示されている１から１０までの番号によって、重ね表示のレイヤーが決定される。すなわち、番号１のドロップエリアにドロップした商品は最上位のレイヤー（最前面）に表示され、番号１０のドロップエリアにドロップした商品は最下位のレイヤー（最背面）に表示される。
【００１８】  また、各ドロップエリアにドロップされた商品の画像アイコンはそのまま該当ドロップエリアに表示されるので、該当商品の表示レイヤーを変更したい場合は該当画像アイコンをドラッグして移動したい番号のドロップエリアにドロップすることによって実現される。
【００１９】  移動したい番号のドロップエリアにすでに他の商品画像アイコンが存在する場合には、両者の商品画像アイコンが自動的にスワップして表示され、それに伴って着こなしパターン表示エリアの重ね表示のレイヤーもスワップされて表示される。
【００２０】  通信端末は消費者が工夫した着こなしのパターンを試着投稿情報として試着投稿システムサーバーに送信する手段を有する。その際には、投稿ボタン（図２−６）がマウスでクリックされる。
【００２１】  試着投稿システムサーバは、通信端末から受信した試着投稿情報をデータベースに蓄積する手段、およびデータベースに蓄積された試着投稿情報を通信端末からの要求に従って検索し、インターネットを経由して利用者の通信端末に送信する手段を有する。
【００２２】  通信端末は、試着投稿システムサーバから受信した試着投稿情報を画面上に閲覧表示する手段を有する。その際には検索ボタン（図２の５）をマウスによってクリックすることにより、図３で示すような投稿情報検索画面が表示される。
【００２３】  また、通信端末はそれらの試着投稿情報にある各着こなしパターンを消費者に画面上で評価させ、そのデータを試着投稿システムサーバに送信する手段を有する。
その際には（図３の２）で示される着こなしパターン表示エリアに表示された着こなしパターンの画像情報を見て、（図３の３）の評価値指定エリアで評価値を指定したうえ評価送信ボタン（図３の４）をクリックする。
【００２４】  試着投稿システムサーバは、通信端末から受信した着こなしパターンに対する評価情報を投稿情報データベースに蓄積する手段を有し、また、その評価情報に基づいて各商品を順位づけてその一覧表示データを通信端末に送信する手段を有する。
【００２５】  通信端末は、試着投稿システムサーバから受信した評価情報に基づく一覧表示データを表示する手段を有する。その際には、ランキング・ボタン（図３の６）をマウスでクリックすることによって評価情報に基づいた順番で試着投稿情報（図３の５）が画面に表示される。表示された任意の試着投稿情報をマウスでクリックすることによって該当する試着投稿情報の着こなしパターンが着こなしパターン表示エリア（図３の２）に表示される。
【００２６】  通信端末は、消費者が通信端末上で特定の商品を選択して購入することのできる手段を有する。
【符号の説明】
【００２７】      図１の１    消費者が通信端末を利用する環境（消費者宅など）
２    試着投稿システム管理センター
３    通信端末
４    インターネット回線網
５    試着投稿システムサーバー
６    商品情報データベース
７    投稿情報データベース【００２８】      図２の１    通信端末の商品選択画面
２    着こなしパターン表示エリア
３    画像アイコンを含む商品情報
４    ドラッグされた画像アイコンをドロップするエリア
５    検索ボタン
６    投稿ボタン【００２９】      図３の１    通信端末の投稿情報検索画面
２    投稿された着こなしパターン表示エリア
３    評価値指定エリア
４    評価送信ボタン
５    試着投稿情報
６    ランキングボタン
【図１】
2011159269.tif 000003
【図２】
2011159269.tif 000004
【図３】
2011159269.tif 000005